(57)【特許請求の範囲】
【請求項１】
固定側基台１と、固定側基台１の複数の隅に設けた軸受部材３と、これ等各軸受部材３に回転自在および上下動不能の状態として下端部を挿着することで縦向きに支承した回転軸４と、回転軸４の下端寄り個所に刻設した雄ネジ５と、雄ネジ５に螺合したスプリング受け用コマ６と、回転軸４の下側半分の周囲にスプリング受け用コマ６を囲む状態で被せて下端を固定側基台１に固定した外筒７と、スプリング受け用コマ６に設けたピン９，１０と、外筒７に設けた、ピン９，１０を上下に移動させるための案内溝１１，１２と、回転軸４の中間部の回りに捲装して下端をスプリング受け用コマ６の上面に当接したコイルスプリング１４と、回転軸４の上端寄り個所に上下動自在に嵌合し下端面をコイルスプリング１４の上端に当接した摺動部材１５と、回転軸４の上端に設けた当該回転軸４を回すための六角頭部１７等回転操作部と、摺動部材１５に固定した可動側基台２０と、可動側基台２０に搭載装備した固定側弁部２１とにより構成されたことを特徴とする緩衝兼姿勢調整部を備えた自動着脱継手付き弁装置。
【発明の詳細な説明】
【０００１】
【発明が属する技術分野】
本発明は、連結/分離の可能な雌側継手付き弁部および雄側継手付き弁部（本文中においては一方を固定側弁部２１と記し他方を可動側弁部２２と記すこととする。）を備えた自動着脱継手付き弁装置に関し、詳しくは固定側弁部２１を緩衝兼姿勢調整部を介して基台に取付けた構成の自動着脱継手付き弁装置に関するものである。
【０００２】
【従来の技術】
従来知られているこの種の自動着脱継手付き弁装置は、固定側弁部２１が緩衝兼姿勢調整部を介さずに基台に取付けられた構成であった。
【０００３】
【発明が解決しようとする課題】
上記従来の技術において述べた自動着脱継手付き弁装置は、緩衝部をもっていないために、固定側弁部２１と可動側弁部２２とのセンター合せ等に厳密性が必要である。
【０００４】
ところで、このような状況の中で、緩衝部をもった自動着脱継手付き弁装置を提供しようとするときには、先ず第一番に、たとえば固定側弁部２１内、配管、フレキシブルチューブ内が満水状態の場合、空の状態の場合あるいは配管、フレキシブルチューブ内だけに残った状態の場合等において基台にかかる荷重の大きさの違いや当該荷重の左側、右側、前側あるいは後側等への片寄り等によって、基台が傾斜した状態すなわち固定側弁部２１のセンターと可動側弁部２２のセンターが所謂ズレた状態になってしまうというようなことを解決する必要があり、しかも不測にして当該ズレ等が生じたときにはこれ等を容易に且つ速やかに解決して固定側弁部２１に対する可動側弁部２２の連結/分離の作動をスムーズに行ない得る状態に回復する必要がある。
【０００５】
本発明は、上記の諸点に鑑み、固定側弁部２１の基台に対する取付を緩衝兼姿勢調整部を介してできるようにすること、不測にしてズレ等が生じたとしてもこれ等を容易に且つ速やかに解決して固定側弁部２１に対する可動側弁部２２の連結/分離の作動をスムーズに行ない得るようにすること等を可能にした新規の、緩衝兼姿勢調節部を備えた自動着脱継手付き弁装置を提供することを目的とするものである。
【０００６】
【課題を解決するための手段】
上記目的を達成するために本発明に係る緩衝兼姿勢調節部を備えた自動着脱継手付き弁装置は、固定側基台１と、固定側基台１の複数の隅に取付部材２を介して取付けた軸受部材３と、これ等各軸受部材３に回転自在および上下動不能の状態として下端部を挿着することで縦向きに支承した回転軸４と、回転軸４の下端寄り個所に刻設した雄ネジ５と、雄ネジ５に螺合したスプリング受け用コマ６と、回転軸４の下側半分の周囲にスプリング受け用コマ６を囲む状態で被せて下端を取付部材２に固定した外筒７と、スプリング受け用コマ６に設けたピン９，１０と、外筒７に設けた、ピン９，１０を上下に移動させるための案内溝１１，１２と、回転軸４の中間部の回りに捲装して下端をスプリング受け用コマ６の上面に当接したコイルスプリング１４と、回転軸４の上端寄り個所に上下動自在に嵌合し下端面をコイルスプリング１４の上端に当接した摺動部材１５と、回転軸４の上端に設けた当該回転軸４を回すための六角頭部１７等回転操作部と、摺動部材１５に固定した可動側基台２０と、可動側基台２０に搭載装備した固定側弁部２１と、を備えたことを特徴とするものである。
【０００７】
【実施例】
図に示す実施例は、固定側基台１の上面の４隅に取付部材２を介して軸受部材３をその中心軸が垂直の向きを呈する状態として取付け、これ等各軸受部材３に回転軸４の下端部を回転自在および上下動不能の状態として挿着することで当該回転軸４を縦向きに支承する。
【０００８】
この回転軸４の下端寄り個所に雄ネジ５を刻設し、当該雄ネジ５にスプリング受け用コマ６を螺合すると共に同回転軸４の下側半分の周囲に外筒７を被せ且つこの外筒７の下端を上記の取付部材２にビス（図示せず）により固定することによってスプリング受け用コマ６を外筒７により囲繞し、更にこのスプリング受け用コマ６の両側に一対のピン９，１０を設け、また外筒７の両側に当該ピン９，１０を上下に移動させるための案内溝１１，１２を設け、この案内溝１１，１２の切縁部の外面に移動量表示目盛板１３を取付ける。
【０００９】
上記回転軸４の中間部の回りにコイルスプリング１４を捲装して当該スプリング１４の下端をスプリング受け用コマ６の上面に載架当接させると共に同回転軸４の上端部にパイプ状の摺動部材１５を上下動自在に嵌合し、この摺動部材１５の下端面にワッシャ１６を介して上記コイルスプリング１４の上端を当接する。
【００１０】
また、回転軸４の上端に六角頭部１７を一体に設け、この六角頭部１７の下面にワッシャ１８を介して摺動部材１５の上端面を当接する。
【００１１】
更に、固定側基台１の上方に固定側弁部２１を装備するための可動側基台２０を配し、この可動側基台２０の４隅を上記各回転軸４における摺動部材１５に管状取付部材１９を介して固定したものである。
【００１２】
なお、図中符号２６はタンク、２７はブーツを示す。
【００１３】
上記の実施例は、図に示すように可動側基台２０に固定側弁部（雌側）２１を取付け、この固定側弁部２１に配管、フレキシブルチューブ２４，２５を接続し、また同固定側弁部２１に対して可動側弁部２２を自動的に接続・分離するようにしてあるものである。なお、固定側弁部２１に対する可動側弁部２２の連結/分離のための上下動機構は省略してある。
【００１４】
【作用】
本発明は、上記のような構成であるので、たとえば固定側弁部２１内、配管、フレキシブルチューブ２４，２５内が満水状態の場合、空の状態の場合あるいは管路２３、フレキシブルチューブ２４，２５内だけに残った場合等によって可動側基台２０にかかる荷重の大きさの異なりや当該荷重が、左側、右側、前側あるいは後側等に片寄って、可動側基台２０が傾斜した状態すなわち固定側弁部２１のセンターと可動側弁部２２のセンターが所謂ズレた状態になってしまうようなことが生じたときには、六角頭部１７にスパナ等を掛けて回転軸４を正方向もしくは逆方向に回し、スプリング受け用コマ６およびスプリング６ならびに摺動部材１５を上方もしくは下方に位置替えして可動側基台２０の傾斜を適正な状態に変更することでこれを解決すればよい。この位置替え操作の場合には移動量表示目盛板１３上でピン９，１０の位置を確める乍らできるので便利である。
【００１５】
【発明の効果】
本発明によれば、上記したように、六角頭部１７にスパナ等を掛けて回転軸４を正方向もしくは逆方向に回し、スプリング受け用コマ６およびスプリング６ならびに摺動部材１５を上方もしくは下方に位置替えして可動側基台２０の傾斜を適正な状態に任意に変更する等のこと、すなわち固定側弁部２１に対する可動側弁部２２の連結/分離の作動をスムーズに行い得るように任意に修正できる新規の、緩衝兼姿勢調節部を備えた自動着脱継手付き弁装置を比較的容易、簡単に且つ確実に提供することができるものであって、本発明は所期の目的を完全に達成する著効を奏するものである。
【図面の簡単な説明】
【図１】本発明の実施例を示す全体の正面図である。
【図２】同じく要部拡大断面図である。
【図３】同じく要部の側面図である。
【符号の説明】
１  固定側基台
２  取付部材
３  軸受部材
４  回転軸
５  雄ネジ
６  スプリング受け用コマ
７  外筒
９  ピン
１０  ピン
１１  案内溝
１２  案内溝
１３  移動量表示目盛板
１４  コイルスプリング
１５  摺動部材
１６  ワッシャ
１７  六角頭部
１８  ワッシャ
１９  管状取付部材
２０  可動側基台
２１  固定側弁部
２２  可動側弁部
２３  管路
２４  フレキシブルチューブ
２５  フレキシブルチューブ
２６  タンク
２７  ブーツ
【図１】
0004044331.tif 000002
【図２】
0004044331.tif 000003
【図３】
0004044331.tif 000004